(57)【要約】【課題】残油量表示が誤って増加するのを防止できる気化式燃焼装置を提供する。【解決手段】本体１と、燃焼部２と、給油タンク２６と、給油タンク重量検知手段３４と、表示部２１と、制御装置３とを備え、前記給油タンク重量検知手段３４の出力値Ｄに基づいて前記表示部２１に残油量を表示する気化式燃焼装置に於いて、前記制御装置３は、前記出力値Ｄが減少した際は、その出力値Ｄに基づいて残油量を表示すると共に、前記出力値Ｄを記憶値Ｄ１として記憶し、前記出力値Ｄが増加した際は、前記記憶値Ｄ１に基づいた残油量を表示するので、室内の温度が下がるのに伴って給油タンク２６内の空気の体積が収縮し、それによって油受け皿１０内の液体燃料の一部が給油タンク２６内に戻った時等、給油していないのに残油量の表示が増加するという不具合を防止できるものである。【選択図】図５
2020153582.tif 000002
【特許請求の範囲】
【請求項１】
本体と、燃焼部と、給油タンクと、給油タンク重量検知手段と、表示部と、制御装置とを備え、前記給油タンク重量検知手段の出力値Ｄに基づいて前記表示部に残油量を表示する気化式燃焼装置に於いて、前記制御装置は、前記出力値Ｄが減少した際は、その出力値Ｄに基づいた残油量を表示すると共に、その出力値Ｄを記憶値Ｄ１として記憶し、前記出力値Ｄが増加した際は、前記記憶値Ｄ１に基づいた残油量を表示することを特徴とする気化式燃焼装置。
【請求項２】
計時部を備え、前記制御装置は、前記出力値Ｄが増加した際、前記出力値Ｄと前記記憶値Ｄ１との差が所定値Ａ以上の時に前記計時部による計時を開始し、前記計時部の計時が所定時間Ｔ２を経過するまでは前記出力値Ｄに基づいて残油量を表示し、前記所定時間Ｔ２を経過した時、前記出力値Ｄを記憶値Ｄ１として記憶することを特徴とする請求項１記載の気化式燃焼装置。
【請求項３】
前記給油タンクが本体内にあるか否かを検知する給油タンク検知手段を設け、前記制御装置は、前記給油タンク検知手段が前記給油タンクが本体内に無しから有りになったのを検知してから所定時間Ｔ１が経過するまでは、前記出力値Ｄに基づいて残油量を表示し、所定時間Ｔ１が経過した後は、前記出力値Ｄを記憶値Ｄ１として記憶することを特徴とす請求項１又は２記載の気化式燃焼装置。
【発明の詳細な説明】
【技術分野】
【０００１】
この発明は、燃油を気化して燃焼させる気化式燃焼装置に関するものである。
【背景技術】
【０００２】
従来この種のものでは、燃油量が所定量以下に低下すると、警報を発すると共に、燃焼部の燃焼を自動的に停止させるものであった。（例えば、特許文献１参照）
【０００３】
又、燃油量が所定量以下に低下して燃焼部の燃焼が自動的に停止してしまう前に給油できるように、装置本体に脱着自在な給油タンク内の残油量を表示するものとして、装置に格納した給油タンクの重さを重量センサにて測定して表示するものがあり、前記重量センサを使用し、装置に格納した給油タンクの重さを測定して給油タンク内の残油量を表示するものとして、給油タンク内の液体燃料量が灯油量表示手段にて規定した重量のときにその重量に見合った適切な情報を提供可能にするために、予め暖房機の製造工程段階において、給油タンク内に液体燃料が満量詰め込まれたときのその荷重を重量検知装置に読み取らせ、その重量検知装置からの信号を調整設定装置を介して記憶装置に記憶させておき、実際の暖房機使用時において、記憶装置に記憶させておいたデータに基づいて中央制御装置で計算した情報を灯油量表示手段に出力するものがあった。（例えば、特許文献２参照）
【０００４】
又、予め給油タンクそのものの重量が記憶され、重量センサからのセンサ信号を入力して液体燃料の残量に相当する残量信号を記憶されている給油タンクそのものの重量に基づいて補正するものがあった。（例えば、特許文献３参照）
【先行技術文献】
【特許文献】
【０００５】
【特許文献１】実用新案登録第２５８８１６９号公報
【特許文献２】特開平１１−９４２４７号公報
【特許文献３】特開昭６４−８４０１６号公報
【発明の概要】
【発明が解決しようとする課題】
【０００６】
ところでこの従来のものでは、例えば、給油タンク内の液体燃料が少なくなって軽くなったときに体が装置本体にぶつかって給油タンクが動いた時や、夜寝る前に暖房運転を停止して室内の温度が下がるのに伴って給油タンク内の空気の体積が収縮し、それによって油受け皿内の液体燃料の一部が給油タンク内に戻った時等、装置本体での残油量は変わらないのに灯油量表示手段の残油量の表示が増加してしまう場合があった。
【課題を解決するための手段】
【０００７】
本発明は上記課題を解決するために、請求項１では、本体と、燃焼部と、給油タンクと、給油タンク重量検知手段と、表示部と、制御装置とを備え、前記給油タンク重量検知手段の出力値Ｄに基づいて前記表示部に残油量を表示する気化式燃焼装置に於いて、前記制御装置は、前記出力値Ｄが減少した際は、その出力値Ｄに基づいた残油量を表示すると共に、その出力値Ｄを記憶値Ｄ１として記憶し、前記出力値Ｄが増加した際は、前記記憶値Ｄ１に基づいた残油量を表示するものである。
【０００８】
また、請求項２では、前記請求項１に於いて、計時部を備え、前記制御装置は、前記出力値Ｄが増加した際、前記出力値Ｄと前記記憶値Ｄ１との差が所定値Ａ以上の時に前記計時部による計時を開始し、前記計時部の計時が所定時間Ｔ２を経過するまでは前記出力値Ｄに基づいて残油量を表示し、前記所定時間Ｔ２を経過した時、前記出力値Ｄを記憶値Ｄ１として記憶するものである。
【０００９】
また、請求項３では、前記請求項１又は請求項２に於いて、前記給油タンクが本体内にあるか否かを検知する給油タンク検知手段を設け、前記制御装置は、前記給油タンク検知手段が前記給油タンクが本体内に無しから有りになったのを検知してから所定時間Ｔ１が経過するまでは、前記出力値Ｄに基づいて残油量を表示し、所定時間Ｔ１が経過した後は、前記出力値Ｄを記憶値Ｄ１として記憶するものである。
【発明の効果】
【００１０】
この発明の請求項１によれば、前記制御装置は、前記出力値Ｄが減少した際は、その出力値Ｄに基づいて残油量を表示すると共に、前記出力値Ｄを記憶値Ｄ１として記憶し、前記出力値Ｄが増加した際は、前記記憶値Ｄ１に基づいた残油量を表示するので、給油していないのに残油量の表示が増加するという不具合を防止できるものである。
【００１１】
また、請求項２によれば、前記制御装置は、前記出力値Ｄが所定値Ａ以上増加した時、所定値Ａ以上増加したのを検知してから所定時間Ｔ２が経過するまでは、その増加した出力値Ｄに基づいて残油量を表示し、所定時間Ｔ２が経過した後は、前記出力値Ｄを記憶値Ｄ１として記憶するので、給油タンクを少し持ち上げてすぐ元に戻したのに、残油量の表示がゼロや少量を表示するという不具合を防止できるものである。
【００１２】
また、請求項３によれば、前記制御装置は、前記給油タンク検知手段が前記給油タンクが本体内に無しから有りになったのを検知してから所定時間Ｔ１が経過するまでは、前記出力値Ｄに基づいて残油量を表示し、所定時間Ｔ１が経過した後は、所定時間Ｔ１が経過した後は、前記出力値Ｄを記憶値Ｄ１として記憶するので、給油した給油タンクを本体に戻したのに、残油量の表示が増加しないという不具合を防止できるものである。
【図面の簡単な説明】
【００１３】
【図１】この発明の一実施例を付した気化式燃焼装置を示す斜視図。
【図２】同要部断面図。
【図３】同要部構成図。
【図４】同制御回路のブロック図。
【図５】同フローチャート図。
【発明を実施するための形態】
【００１４】
次に、本発明に係る発明の１実施形態を図面に基づいて説明する。
１は屋内に設置される気化式燃焼装置を構成する本体で、本体１内部に気化バーナからなる燃焼部２と、この本体１の作動を制御するマイコンを主体として構成された制御装置３と、本体１背面開口部の対流用送風機４と、本体１前面の温風吹出口５と、本体１前面側上部の操作部６とを備えているもので、燃焼部２での燃焼排気ガスを対流用送風機４により温風吹出口５から室内に吹き出すことで暖房を行うものである。
【００１５】
前記燃焼部２は、複数の炎孔を有したバーナヘッド７の下部に加熱ヒーター８を有した気化部９を備えて構成され、加熱ヒーター８によって加熱された気化部９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化部９の上端に複数の炎孔に対向する如く備えた環状の熱回収リング１５によって炎から熱回収を行い加熱ヒーター８の通電を低減しているもので、ターンダウン比が広く静かな気化燃焼を行うものである。
【００１６】
前記操作部６には、運転の開始／停止を指令するための運転スイッチ１６と、室温上昇スイッチ１７と室温下降スイッチ１８とにより構成され所望の室温を設定する室温設定手段１９と、残油量表示スイッチ２０やタイマースイッチや延長スイッチなどの各種の操作スイッチと、時刻や設定室温や残油量を表示する表示部２１が設けられている。
【００１７】
２２は前記加熱ヒーター８で加熱される気化部９の温度を検知する気化温度センサで、前記制御装置３はこの気化温度センサ２２の検知温度が所定の上限温度になると前記加熱ヒーター８をオフし、また所定の下限温度になると前記加熱ヒーター８をオンして気化部９の温度を液体燃料が良好に気化できる温度範囲内に保持する。
【００１８】
又前記制御装置３は、運転スイッチ１６の運転指令により、前記気化温度センサ２２の検知温度を監視して、前記気化部９を液体燃料が気化可能な温度まで加熱ヒーター８により加熱し、気化部９の温度を燃焼に適する温度まで上昇させると前記電磁ポンプ１１及び燃焼用送風機１３を駆動開始し、点火装置２３により混合ガスに点火して燃焼を開始させて、本体１背面の対流用送風機４の近傍に設けられた室温センサ２４の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１９】
２５は給油タンク検知手段で、給油タンク２６が本体１内にあるか否かを検知し、給油タンク２６を本体１に差し込むと給油タンク２６の側面に当接して閉成し、給油タンク２６を本体１から抜き取ると開成する開閉スイッチで構成され、運転中にタンク検知手段２５が本体１から給油タンク２６が抜き取られたのを検知すると、制御装置３は運転を停止するものである。
【００２０】
前記給油タンク２６が本体１内に挿入されると、前記給油タンク２６先端の口金２７が油受け皿１０に形成されているタンク挿入口２８に挿入される。
前記タンク挿入口２８には燃油内に混入したゴミなどの不純物をろ過する油フィルタ２９が配置されていて、油フィルタ２９内に前記給油タンク２６の口金２７を挿入することで油受け皿１０に前記給油タンク２６を載置するようになっている。
【００２１】
そして前記油フィルタ２９内の中央にはピン３０が突出形成されており、前記給油タンク２６を装着するとこのピン３０が前記給油タンク２６の口金２７に設けられた燃油吐出口３１を開口させるので、前記給油タンク２６内の燃油が油フィルタ２９を介して油受皿１０内に供給される。
【００２２】
そして、油受皿１０内の液面が上昇して燃油吐出口３１まで達すると、前記給油タンク２６からの燃油の供給が停止するので、これを繰り返すことにより油受皿１０には常に一定量の液体燃料が貯留されるようになっているものである。
【００２３】
３２はフロートスイッチからなる油量検知手段で、給油タンク２６からの燃油を一旦貯留する油受け皿１０内の燃油が所定量以下になったことを検知するものである。
【００２４】
３３はタイマー手段で、所定時間をカウントするもので、前記制御装置３からの計時開始信号の入力で計時を開始し、計時終了信号の入力で計時を終了するもので、計時開始から所定時間Ｔ１に達した時、又は、計時開始から所定時間Ｔ２に達した時、前記制御装置３に計時信号を出力するものである。
【００２５】
３４は給油タンク重量検知手段で、前記油受け皿１０のタンク挿入口２８周辺に設けられ、前記給油タンク２６をファンヒータの本体１に差し込むと前記給油タンク２６先端の口金２７が前記油受け皿１０のタンク挿入口２８に位置するが、この時、前記給油タンク２６が前記給油タンク重量検知手段３４に当接して、前記給油タンク２６の重量が給油タンク重量検知手段３４にかかり、そのかかった重量によって給油タンク重量検知手段３４の出力値が変化するものである。
【００２６】
次にこの一実施形態の作動について図５のフローチャート図により説明する。
まず、前記制御装置３は、給油タンク検知手段２５がファンヒータの本体１内に給油タンク２６が無いと検知している状態かどうか判断し（Ｓ１）、給油タンク検知手段２５がファンヒータの本体１内に給油タンク２６が無いと検知している状態である時、次に給油タンク検知手段２５がファンヒータの本体１内に給油タンク２６が有ると検知した状態に変化したかを判断する（Ｓ２）。
【００２７】
（Ｓ２）で、給油タンク検知手段２５がファンヒータの本体１内に給油タンク２６が有ると検知した状態に変化しない場合は（Ｓ１）に戻り、（Ｓ２）で、ファンヒータの本体１内に給油タンク２６が有ると検知した状態に変化した場合は、給油タンク２６が給油されて本体１内に戻されたと判断して、前記制御装置３は、タイマー手段３３に計時開始信号を出力し、タイマー手段３３は計時を開始する（Ｓ３）。
【００２８】
そして前記制御装置３は、タイマー手段３３の計時が所定時間Ｔ１に達しない間は（Ｓ４）、現在の給油タンク重量検知手段３４の出力値Ｄに基づいて給油タンク残油量を表示部２１に表示するものである（Ｓ５）。
そして、前記制御装置３は、タイマー手段３３の計時が所定時間Ｔ１に達した時（Ｓ４）、タイマー手段３３の計時を終了し（Ｓ６）、給油タンク重量検知手段３４の記憶値Ｄ１を出力値Ｄに更新し（Ｓ７）、（Ｓ１）に戻るものである。
【００２９】
これにより、給油タンク２６に給油するためにファンヒータの本体１内から給油タンク２６を取り出した時、給油タンク重量検知手段３４の出力値Ｄは減少し、その後給油された給油タンク２６をファンヒータの本体１内に戻した時、給油タンク重量検知手段３４の出力値Ｄは増加するが、増加した給油タンク重量検知手段３４の出力値Ｄに基づいて給油タンク残油量を表示部２１に表示するので、例えば満タンに給油した給油タンク２６を本体１内に戻せば、表示部２１は満タンを表示することができるものである。
【００３０】
また、前記制御装置３は、（Ｓ１）で給油タンク検知手段２５がファンヒータの本体１内に給油タンク２６が無いと検知していない状態、つまり本体１内に給油タンク２６が有ると検知している時、給油タンク重量検知手段３４の出力値Ｄが記憶している給油タンク重量検知手段３４の記憶値Ｄ１以下、つまり残油量が同じ又は減少しているかを判断し（Ｓ８）、（Ｓ８）で前記出力値Ｄが記憶値Ｄ１以下の時、現在の給油タンク重量検知手段３４の出力値Ｄに基づいて給油タンク残油量を表示部２１に表示し（Ｓ９）、給油タンク重量検知手段３４の記憶値Ｄ１を出力値Ｄに更新し（Ｓ１０）、（Ｓ１）に戻るものである。
【００３１】
又、前記（Ｓ８）で前記出力値Ｄが記憶値Ｄ１より大きい場合、前記制御装置３は前記出力値Ｄが前記記憶値Ｄ１より所定値Ａ以上大きいか比較し（Ｓ１１）、前記出力値Ｄが前記記憶値Ｄ１より所定値Ａ以上大きい時は、タイマー手段３３に計時開始信号を出力し、タイマー手段３３は計時を開始する（Ｓ１２）。
【００３２】
そして前記制御装置３は、タイマー手段３３の計時が所定時間Ｔ２に達しない間は（Ｓ１３）、現在の給油タンク重量検知手段３４の出力値Ｄに基づいて給油タンク残油量を表示部２１に表示するものである（Ｓ１４）。
【００３３】
そして、前記制御装置３は、タイマー手段３３の計時が所定時間Ｔ２に達した時（Ｓ１３）、タイマー手段３３の計時を終了し（Ｓ１５）、給油タンク重量検知手段３４の記憶値Ｄ１を出力値Ｄに更新し（Ｓ１６）、（Ｓ１）に戻るものである。
【００３４】
又、（Ｓ１１）で前記出力値Ｄが前記記憶値Ｄ１より所定値Ａ以上大きくない時は、前記記憶値Ｄ１により給油タンク残油量を表示部２１に表示して（Ｓ１７）、（Ｓ１）に戻るものである。
【００３５】
ここで、前記所定値Ａは重さで換算すると、例えば空状態の給油タンク２６の重量1キログラムに相当する大きい値で、給油タンク２６を少し持ち上げてすぐ元に戻した時等に発生する増加量であり、給油タンク重量検知手段３４の誤検知や、室内の温度が下がるのに伴って給油タンク２６内の空気の体積が収縮し、それによって油受け皿１０内の液体燃料の一部が給油タンク２６内に戻った時の増加量は例えばせいぜい３００グラム程度であるため、前記出力値Ｄがこの所定値Ａ以上増加した時は、給油タンク２６を少し持ち上げてすぐ元に戻した時と判断できるものである。
【００３６】
これにより、給油タンク２６を少し持ち上げてすぐ元に戻した時は、前記出力値Ｄが前記記憶値Ｄ１より所定値Ａ以上大きいので、現在の給油タンク重量検知手段３４の出力値Ｄに基づいて給油タンク残油量を表示部２１に表示し、それによりその戻した給油タンク２６の重さに応じて給油タンク残油量を表示部２１に表示できるものである。
【００３７】
又、給油タンク重量検知手段３４の誤検知や、室内の温度が下がるのに伴って給油タンク２６内の空気の体積が収縮し、それによって油受け皿１０内の液体燃料の一部が給油タンク２６内に戻った時は、前記出力値Ｄが前記記憶値Ｄ１より所定値Ａ以上大きくないので、前記記憶値Ｄ１により給油タンク残油量を表示部２１に表示し、それにより給油していないのに残油量の表示が増加するという不具合を防止できるものである。
【００３８】
以上のように、給油タンク重量検知手段３４の出力値Ｄが減少した時は、前記出力値Ｄに基づいた給油タンク残油量を表示部２１に表示し、給油タンク重量検知手段３４の出力値Ｄが増加した時は、前記記憶値Ｄ１に基づいた残油量を表示するので、給油していないのに残油量の表示が増加するという不具合を防止できるものである。
【００３９】
又、給油タンク重量検知手段３４の出力値Ｄが増加した時、その増加量が所定値Ａ以上の時は、所定時間Ｔ２が経過するまで現在の給油タンク重量検知手段３４の出力値Ｄに基づいて給油タンク残油量を表示部２１に表示し、所定時間Ｔ２が経過した時、前記出力値Ｄを記憶値Ｄ１として記憶するので、給油タンク２６を少し持ち上げてすぐ元に戻してもその戻した給油タンク２６の重さに応じて給油タンク残油量を表示部２１に表示できるものである。
【００４０】
又、給油タンク検知手段２５が前記給油タンク２６が本体１内に無しから有りになったのを検知してから所定時間Ｔ１が経過するまでは、前記出力値Ｄに基づいて残油量を表示し、所定時間Ｔ１が経過した時、前記出力値Ｄを記憶値Ｄ１として記憶するので、給油タンク２６を本体１から取り出して給油してから本体１に戻した時、給油した給油タンク２６を本体１に戻したのに、残油量の表示が増加しないという不具合を防止できるものである。
【符号の説明】
【００４１】
１  本体
２  燃焼部
３  制御装置
２１  表示部
２６  給油タンク
３３  タイマー手段
３４  給油タンク重量検知手段
【図１】
2020153582.tif 000003
【図２】
2020153582.tif 000004
【図３】
2020153582.tif 000005
【図４】
2020153582.tif 000006
【図５】
2020153582.tif 000007